(57)【要約】  本発明は、電話の呼を設定する際にマルチメディアデータを提供する方法およびデバイスに関する。端末３が、マルチメディアデータを提供するプラットフォーム９にインターネットを介して接続されており、呼が、呼をブロックする呼サーバ５に送信され（４）、次に、プラットフォーム９に呼イベント６を通知する。プラットフォーム９は端末３にマルチメディアデータをダウンロードし、マルチメディアデータがダウンロードされるとサーバ５が端末３への呼を解放する。本発明は、電話の呼を設定する際に付加的なサービスを提供することに特に有用である。
2009527172.tif 000002
【特許請求の範囲】
【請求項１】
電話の呼の確立に応じて電話端末（３）にマルチメディアデータを提供する方法であって、端末がパケット交換ネットワーク（ＰＳ）を介してマルチメディアデータ提供プラットフォーム（９）に接続されており、前記呼が呼サーバ（５）に送信され（４）、サーバ（５）が前記呼をブロックして次に前記プラットフォーム（９）に呼イベント（６）を通知し、プラットフォーム（９）が端末（３）上にマルチメディアデータをアップロードし、一度、前記マルチメディアデータがアップロードされると、サーバ（５）が前記端末（３）への前記呼のブロックを解除することを特徴とする、方法。
【請求項２】
プラットフォーム（９）に送信される呼イベント（６）の通知が端末（３）の呼番号を含み、前記プラットフォーム（９）が、端末（３）の呼番号とそのアクセスアドレス（ＩＰ）との間の関連性を示すデータベース（１０）にパケット交換ネットワーク（ＰＳ）を介してアクセスすることを特徴とする、請求項１に記載の方法。
【請求項３】
プラットフォーム（９）が、端末（３）上へのデータのアップロードの完了を呼サーバ（５）に通知することを特徴とする、請求項１または２に記載の方法。
【請求項４】
パケット交換ネットワーク（ＰＳ）を介してプラットフォーム（９）に接続されている発呼端末（２）によって呼が送信され、前記プラットフォームが前記発呼端末（２）上にデータをアップロードすることを特徴とする、請求項１から３のいずれか一項に記載の方法。
【請求項５】
プラットフォームが各端末（２、３）に関連するプロファイルを含み、端末上へのデータのアップロードがそのプロファイルに依存することを特徴とする、請求項１から４のいずれか一項に記載の方法。
【請求項６】
マルチメディアデータがデータソース（１１）上に予めアップロードされていることを特徴とする、請求項１から５のいずれか一項に記載の方法。
【請求項７】
データが電話端末（２、３）によってダウンロードされることを特徴とする、請求項６に記載の方法。
【請求項８】
データがサードパーティエンティティによってダウンロードされることを特徴とする、請求項６または７のいずれか一項に記載の方法。
【請求項９】
プラットフォーム（９）がプログラムを更新して端末（３）の着信音を変更することを特徴とする、請求項１から８のいずれか一項に記載の方法。
【請求項１０】
発呼端末（２）が衛星測位受信機に関連付けられており、前記発呼端末の位置がプラットフォーム（９）に提供され、プラットフォーム（９）が発呼端末の位置を被呼端末（３）上にアップロードすることを特徴とする、請求項１から９のいずれか一項に記載の方法。
【請求項１１】
被呼端末（３）が衛星測位受信機に関連付けられており、前記被呼端末の位置がプラットフォーム（９）に提供され、プラットフォーム（９）が被呼端末の位置を発呼端末（２）上にアップロードすることを特徴とする、請求項１から１０のいずれか一項に記載の方法。
【請求項１２】
マルチメディアデータを提供することに関する特定の契約が提供され、加入者の登録または取り消しに応じてプラットフォーム（９）が呼サーバ（５）に通知（９Ａ）を送信し、呼イベント（６）の発生に応じて呼サーバが加入者の端末（２、３）に関してだけ通知（８）を送信することを特徴とする、請求項１から１１のいずれか一項に記載の方法。
【請求項１３】
電話の呼の確立に応じて電話端末（３）にマルチメディアデータを提供するデバイスであって、少なくとも１つのマルチメディアデータ提供プラットフォーム（９）とパケット交換ネットワーク（ＰＳ）を介してプラットフォームに接続されている呼サーバ（５）とを含み、呼が呼サーバ（５）に送信され（４）、サーバ（５）が呼をブロックして次にプラットフォーム（９）に呼イベント（６）を通知し、前記プラットフォーム（９）がパケット交換ネットワーク（ＰＳ）を介して端末（３）上にマルチメディアデータをアップロードし、一度、マルチメディアデータがアップロードされると、サーバ（５）が端末（３）への呼のブロックを解除することを特徴とする、デバイス。
【請求項１４】
プラットフォーム（９）が、パケット交換ネットワーク（ＰＳ）を介した端末（３）の呼番号とそのアクセスアドレス（ＩＰ）との間の関連性を示すデータベース（１０）を含み、サーバ（５）によるプラットフォームへの呼イベント（６）の通知が端末（３）の呼番号を含むことを特徴とする、請求項１３に記載のデバイス。
【請求項１５】
プラットフォーム（９）が、端末（３）上へのデータのダウンロードの完了を呼サーバ（５）に通知することを特徴とする、請求項１３または１４のいずれか一項に記載のデバイス。
【請求項１６】
プラットフォーム（９）が、端末（２、３）に関連するプロファイルとマルチメディアデータを記憶するデータソース（１１）とを含み、そのプロファイルに応じてマルチメディアデータが端末（２、３）上にアップロードされることを特徴とする、請求項１３から１５のいずれか一項に記載のデバイス。
【請求項１７】
プラットフォーム（９）が呼サーバ（５）に組み込まれていることを特徴とする、請求項１３から１６のいずれか一項に記載のデバイス。
【発明の詳細な説明】
【技術分野】
【０００１】
本発明は、電話の呼を確立する際にマルチメディアデータを提供する方法およびデバイスに関する。より詳細には、電話の呼が確立される際にユーザに付加的なサービスを提供することに関する。
【背景技術】
【０００２】
電話サービスは拡張し続けている。次第に多様化する高性能なサービスをオペレータが提供し得ることは重要である。一方、ユーザは次第に多種多様化する通信手段および関連するサービスから利益を享受することを期待する。従来の電話サービスおよびインターネットサービスの組合せは、ユーザに多くの利点をもたらし得る。この方法では、固定または携帯の電話サービスへの加入者が呼の着信音を聞くときはいつでも、ユーザは発呼者の識別情報（ｉｄｅｎｔｉｔｙ）を知りたい可能性があるが、他の情報を得ることを同様に望む可能性がある。具体的には、この情報は、例えば、発呼者の詳細な名刺、被呼者と発呼者の間で開かれた前回の会議の議事録、または彼らに関連する会議もしくはプレゼンテーションのビデオクリップであり得る。この情報の全てが、ウェブページまたは任意の他の種類のマルチメディア情報提示の形式で利用可能であり得る。
【発明の開示】
【発明が解決しようとする課題】
【０００３】
そのような付加的なサービスの実装は、回路交換ネットワークによって特徴付けられる電話の分野と、データパケット交換ネットワークによって特徴付けられるインターネットの分野とを活用する。ほとんどの固定または携帯の電話端末は、これらの分野の両方を処理することが不可能である。発呼者の識別情報を知ることは、この問題の好例を提供する。電話端末は、発呼者の識別情報、一般に名前および姓を表示し得る。しかしながら、これはユーザが前もって発呼者の名前を発呼者の電話番号と一緒に自身の端末に保存していた場合にだけ可能である。知らない人または端末にまだ識別情報が保存されていない誰かが呼び出す場合、その識別情報は端末上に表示することができない。一般に、端末は発呼者の電話番号だけを表示することが可能である。それゆえに、現在利用可能な電話サービスは、制限されたままであり、あらゆるサービスに関して増大する需要に逆行している。特に、最新技術の下では、電話の呼を確立する際には前に記述されたサービスは一般に利用可能でないか、または少なくとも電話設備に著しい変更がなされた場合にだけアクセス可能である。
【課題を解決するための手段】
【０００４】
本発明の１つの目的は、具体的には、既存の電話端末に適したやり方で、電話の呼を確立する際に付加的なサービスを提供することを可能にすることである。そのために、本発明の主題は、電話の呼を確立する際に電話端末にマルチメディアデータを提供する方法であり、前記端末が被交換パケットネットワークによってマルチメディアデータ提供プラットフォームに接続され、前記呼が呼サーバに送信される。サーバが呼をブロックし、次に、プラットフォームに呼イベントを通知し、プラットフォームがマルチメディアデータを端末上にアップロードし、一度、マルチメディアデータがアップロードされるとサーバは端末への呼のブロックを解除する。
【０００５】
本発明の別の主題は、電話の呼を確立する際に電話端末にマルチメディアデータを提供するデバイスであり、少なくとも１つのマルチメディアデータ提供プラットフォームと、パケット交換ネットワークを介してプラットフォームに接続された１つの呼サーバとを含む。呼が呼サーバに送信され、呼サーバが呼をブロックし、次に、プラットフォームに呼イベントを通知する。プラットフォームがパケット交換ネットワークを介してマルチメディアデータを端末上にアップロードし、マルチメディアデータが一度、アップロードされるとサーバは端末への呼のブロックを解除する。
【０００６】
本発明の主たる利点は、固定式または携帯式に関わらず、全ての種類の電話ネットワークおよびほとんどの電話端末に対して適していることと、既存の設備へのハードウェア修正の必要がごくわずかであるかまたは全くないこととを特に含む。本発明の他の特性および利点は、添付の図面の参照と共に、以下の説明を通じて明らかになるであろう。
【発明を実施するための最良の形態】
【０００７】
図１は、電話端末３が接続し得る２つのネットワークを示す。電話サービスは、回路交換ネットワークＣＳを使用する。このネットワークでは、ユーザＢが、別のユーザの端末２から自身の端末３で呼び出しされ得る。このネットワークＣＳは、マルチメディアデータを送信不可能である。それゆえに、ユーザＢは、このチャネルを介して重要な付加的なサービスを使用することができない。そのようなサービス２０からの利益を享受するために、彼は、特に、インターネットネットワークまたは別のパケット交換ネットワークＰＳにアクセスする必要がある。現在、電話端末が両方のネットワークＣＳ、ＰＳに同時に容易にアクセスすることは不可能である。特に、電話端末は、電話の呼を確立する際にユーザが付加的なサービスから利益を享受することを可能にしていない。
【０００８】
図２は、本発明の方法が実装されている実施形態である電話通信システムの一例を示す。システム内で、電話端末２を備えるユーザＡが電話端末３を備えるユーザＢと通信を開始する。システムは呼サーバ５を含む。この呼サーバは公共または私的であり得る回路交換ネットワークの一部を形成する。被呼端末３の電話番号が端末２から電話される場合はいつでも、この番号が呼サーバに送信され、次に、呼サーバが２つの端末２、３を互いに通信状態にする。このシステムは、マルチメディアサービスを管理するプラットフォーム９をさらに含む。呼サーバ５は、パケット交換ネットワークＰＳを介して、例えば、インターネットネットワークを介してプラットフォームと通信し得る。プラットフォーム９は、例えば、マルチメディアサービスプロバイダによって管理され得る。多数のユーザまたは加入者がそれにアクセスし得る。これに関連して、呼サーバ５は、とりわけプラットフォーム９のユーザであり、自身のネットワークアクセスアドレス、特に自身のインターネットネットワークに関するＩＰアドレスを処理する。それゆえに、プラットフォーム９は種々の種類のマルチメディアサービスを提供する。そのために、それはサービスプロバイダにアクセスし、次にこれらのサービスをその加入者またはユーザに送信する。本発明の方法の実装に関連して、プラットフォーム９は、例えば、サービスのセットにアクセスし得る。これらのサービスは、実際には、データソース１１内に記憶されるマルチメディアデータである。説明を容易化するために、本明細書では、データソース１１とそれが含むサービスは１つにまとめられる。
【０００９】
これらのサービス１１は、電話の呼が確立される際にユーザに提供されることが意図されているが、必ずしもそうでなくてよい。それらは、別の用途に既にそれ以外で利用可能なサービスであってよい。これらのサービス１１は、例えば、発呼者Ａの名刺、他の情報を含むウェブサイト、または映像もしくは音声クリップ、さらにより一般的には、あらゆる種類のマルチメディア情報を配信してよい。さらに、プラットフォーム９は、データベース１０に接続されている。このデータベースは、電話端末２、３の電話番号とそれらのＩＰアドレスとの関連性を含み、前記ＩＰ（または「インターネットプロトコル」）アドレスは、マルチメディア情報をこれらの端末にルーティングすることを可能にする。各端末は、所与の時点で自身のＩＰアドレスを有する。電話または呼番号は、さらに、「統合サービスデータネットワーク（Ｉｎｔｅｇｒａｔｉｏｎ  Ｓｅｒｖｉｃｅ  Ｄａｔａ  Ｎｅｔｗｏｒｋ）」に関し、ＩＳＤＮ番号として知られている。ＩＳＤＮ番号は、前記ネットワークの端末２、３を識別するために使用される回路交換電話ネットワークＣＳ番号である。携帯電話ネットワークの場合、電話番号は、「移動局ＩＳＤＮ（Ｍｏｂｉｌｅ  Ｓｔａｔｉｏｎ  ＩＳＤＮ）」に関し、略称ＭＳＩＳＤＮによりさらに知られている。それゆえに、所与のネットワークに対し、データベース１０が端末２、３のＩＰアドレスとＩＳＤＮまたはＭＳＩＳＤＮ番号との間の関連性を示す。
【００１０】
被呼端末３に関する１つの問題は、回路交換ネットワークＣＳを介した端末２からの電話の呼と、パケット交換ネットワークＰＳを介したマルチメディア情報の両方を同時に受信することである。本発明によると、ユーザＡが自身の端末２を別のユーザＢの端末３への呼に使用するときはいつでも、呼サーバ５が呼をブロックし、次に、端末３の電話番号をプラットフォーム９に送信する。この電話番号を使用して、プラットフォームは、データベース１０を用いて端末３のＩＰアドレスを認識することが可能である。プラットフォームは、次に、パケット交換ネットワークＰＳ上のリンク１２を介して端末３に向けた付加的なサービス１１をアップロードする。このサービス１１が一度、端末３上にアップロードされると、プラットフォーム９がリンク１４を介して呼サーバ５に通知する。呼サーバ５は、次に、呼のブロックを解除し、電話通信を確立するために端末３の着信音を開始する。通信が確立されると、その結果、被呼者Ｂは、表示される過去にダウンロードされたマルチメディア情報を見ることが可能である。被呼者Ｂは、例えば、端末２上に表示される発呼者Ａの識別情報カードを見ることが可能である。これに関連して、プラットフォーム９は、そのようなサービス１１を処理すること、それらを保存すること、例えば、被呼者もしくは彼の端末の識別情報に基づいて、該当する場合に発呼者により送信されたコードに基づいて、または発呼者によって事前に表された要求に基づいて関連するサービスを選択することが可能であり、さらに、次にこれらのサービスを被呼者に送信し、可能性としてインターネットネットワークを介して発呼者に送信することが可能なあらゆる設備に特に対応する。
【００１１】
例として、端末２から端末３への呼が、図２に関連して本明細書で説明されている。
【００１２】
第１のステップで、発呼者Ａが端末３の被呼番号に電話をかける。次に、回路交換ネットワークＣＳを介して端末２と呼サーバ５との間でリンク４が確立される。この呼が呼サーバ内のイベント６を生成し、前記イベントは呼が端末２と端末３との間で確立されていることを示す。
【００１３】
第２のステップで、少なくとも２つの動作を実行する際に呼サーバ５がこのイベント６を考慮する。第１の動作で、サーバが発呼端末２からの着信する呼をブロックする。そのようにするために、それは確保された領域７に呼番号を保存する。第２の動作で、呼サーバ５が、インターネットネットワークを介してイベント６をプラットフォーム９に通知する。イベント６の送信には、端末３の呼番号が付随する。第３のステップで、この呼番号に基づいて、プラットフォームが、端末のＩＰアドレスと呼番号との間の関連性を含むデータベース１０内にある端末３のＩＰアドレスを取得する。第４のステップで、プラットフォーム９は、端末３上にアップロードされるマルチメディアデータを取り出す。このデータは呼ごとにおよびユーザごとに異なり得る。本方法のこのステップでは、ユーザＡ、Ｂが前もってプラットフォーム９に記録されている点に留意されたい。より詳細には、ユーザのプロファイルが記録されている。このプロファイルは、例えば、各呼または被呼者に関連して送信されるデータを決定し得る。このプロファイルは固定ではなく、動的に更新され得る。メモリ領域が、例えば、各ユーザのプロファイルを記憶するためにプラットフォーム内に確保され得る。ユーザＡの１つの例示的な標準プロファイルは、例えば、彼が呼を行う度に被呼者にそのユーザの名刺が送信されることを示す。プロファイルは、識別情報カードが予め定められた被呼者にだけ送信されるように、さらにフィルタを含んでよい。ここでは、例として、識別情報カードであることを仮定するが、プロファイルはあらゆる種類のマルチメディアデータを取り扱ってよい。さらに、発呼者が呼を開始する前に自身のプロファイルを修正し得るように、プロファイルは動的に修正されてよい。このやり方によって、彼はプラットフォームが過去の会議の議事録を送信することを要求し得る。さらに、これは、ユーザＡが、自身の端末２または任意の他の端末を用いて、彼が送信を望む情報を予めプラットフォーム９にアップロードしたことを意味する。このやり方によって、提供される付加的なサービスは、被呼者のプロファイルに依存してよいし、該当する場合には、さらに、発呼者または自身のプロファイルの識別情報に依存してよい。
【００１４】
第６のステップで、プラットフォーム９が呼にリンクされた付加的なサービスに対応するマルチメディアデータを取り出し、それらを端末３のＩＰアドレスにアップロードする。該当する場合、プラットフォームは、発呼者Ａの端末２上に別の付加的なサービスをさらにアップロードし得る。それゆえに、発呼者Ａおよび被呼者Ｂの両方に有用な文書が、両方の端末２、３上にアップロードされ得る。最後に、プラットフォーム９が、付加的なサービスがアップロードされたことを通知１４を介して呼サーバ５に通知する。その後のステップでは、呼サーバ５が、確保された領域７に保存された呼を解放し、端末３との通信１５を始動する。次に端末３が始動され、警報、例えば、着信音を生成する。ユーザＢが応答を始動させると、呼サーバが端末２、３の間の通信を確立し、端末２、３は前にダウンロードされたマルチメディアデータを付加的に表示または生成する。ユーザＡ、Ｂが、サービスプロバイダの契約等の特定の契約に加入することが好ましい。この契約を介して、ユーザが彼らの前に記述されたプロファイルのデータおよび付加的なサービス１１を提供するマルチメディアデータをアップロードする。プラットフォーム９は、例えば、新規の加入者が登録する場合はいつも、または加入者が契約を取り消す場合はいつも、通知９Ａを呼サーバ５に送信することができる。このやり方によって、呼サーバは呼イベント６が生じた際に、付加的なサービスに関する契約を外したユーザＡ、Ｂの端末に関してだけ通知８を送信する。特に、これは、付加的なサービスによる影響を受けないユーザに対する呼を含む全ての呼が確立される際に呼サーバが通信を開始することを回避する。
【００１５】
ＩＳＤＮ呼番号と端末のＩＰアドレスとの間の関連性を示すデータベース１０が、例えば、プラットフォーム９の、例えば、存在サーバに配置されてよい。それは、例えば、連続的な更新を介して前記データベース１０を管理するこの存在サーバであってよい。特に、ユーザが付加的なサービスに加入する場合はいつも、ユーザは自身の端末の呼番号およびＩＰアドレスをサービスプロバイダに通知する。そしてプラットフォーム９は、データベース１０を提供し得る。このデータベースの構造は、例えば、各々が呼番号およびＩＰアドレスから形成されているペアのセットを含むもの等であってよい。端末に関し、ＩＰアドレスは固定され得るが、動的であってもよい。ＩＰアドレスの動的な割り当ては、サービスプロバイダがより多くの加入者にサービスを提供することを特に可能にする。ＩＰアドレスの数は制限されているので、動的な管理は、サービス要求の現在の状態に応じて異なるＩＰアドレスを所与の加入者に連続的に割り当てることを可能にする。プラットフォーム９は、全てのＩＰアドレスの全体的な動的管理に基づいてデータベース１０内のＩＰアドレスを管理し得る。特に、本発明の方法の実装に関する特定のプロトコルは、前記プラットフォーム９がそれに応じてデータベース１０を更新可能であるように、ユーザが自身の現在のＩＰアドレスをプラットフォームに提供することを必要とし得る。
【００１６】
本発明の方法の実装の前の説明で、インターネットネットワークを介して等、電話端末２、３がマルチメディアデータを付加的に受信し得ることが仮定されていた。ＧＰＲＳ携帯電話端末がそのようなデータを受信し得る。しかしながら、本発明の方法は、他の種類の端末にも適用される。特に、それはマルチメディアデータを受信不可能な固定式または携帯式の端末に、これらの端末がインターネット端末、特に、固定式または携帯式のコンピュータに関連付けられているという条件で適用され得る。上述された本発明の方法を実装するために、端末２、３は、そのような場合、固定電話等の電話端末と、コンピュータ等のパケット交換ネットワーク端末との組合せである。
【００１７】
本方法の１つの特定の実施形態では、付加的なサービスのプラットフォーム９が呼サーバ５に組み込まれてよく、それにより、呼サーバのサービス拡張が形成される。電話ネットワークは、公共または民間のネットワーク、具体的にはＰＡＢＸネットワーク等の企業ネットワークであってよい。
【００１８】
電話の呼の確立に応じて付加的なサービスを提供するデバイスは、例えば、図２の説明に関連して前に示したように協働する、少なくともプラットフォーム９と呼サーバ５から構成されてよい。端末の呼番号のＩＰアドレスを保存するデータベースは、例えば、プラットフォーム９に組み込まれてよい。デバイスは、付加的なサービスを含むデータソース１１をさらに含む。このデータソース１１が、ユーザ自身によって、特に、彼らの端末の２、３からマルチメディアデータをアップロードすることによって、更新することが可能であることが前に示されている。このデータソース１１は、さらに、契約の種類に応じて民間または公共であり得るサードパーティエンティティによって提供されてよい。それゆえに、公的機関が、天気情報、一般情報、または展示中の情報等の大衆的な情報を有するデータソースを提供し得ることが想定され得る。民間機関が、データソース１１上にビデオクリップまたは音楽のサンプルをアップロードし得る。そしてこの情報、ビデオまたは音声クリップの一部は、ユーザの説明または識別情報の種類に応じて、さらに、より一般的には彼らのプロファイルに応じて等、通信が確立される際にいつでも端末上に表示され得る。さらに、端末２、３が衛星測位受信機、具体的にはＧＰＳ受信機を備え、かつユーザが特定の契約に加入していることを条件として、前記端末２、３の位置を配信する機関によってデータソース１１が提供されてもよい。そのような場合、データソースは、端末２、３の連続的な位置が動的に供給される。端末２が端末３を呼び出すときはいつでも、端末２の位置データが、場合によっては他のデータと共に、例えば、端末３上にアップロードされ得る。このやり方によって、呼が確立されるときはいつでも、端末３のユーザは、表示される端末２の位置を見ることが可能である。さらに、端末２のユーザが、彼が呼び出している端末３の位置を同様に読むことができるように、端末３の位置が同様に前記端末２上にアップロードされ得ることを想定することも可能である。データソース１１は、ソフトウェアプログラムをさらに含んでよい。例えば、それは、端末２、３の着信音に応じて動作するプログラムを含んでよい。そのような場合、プログラムは、着信音および特定のメロディを変更するための命令を含み、前記メロディの変更は、例えば、発呼ユーザに依存する。このやり方によって、被呼ユーザは、自身の端末の着信音の確立に応じて発呼者の識別情報を認識する選択肢を有する。着信音は、振動の特定の方法によって置き換えられてよい。
【図面の簡単な説明】
【００１９】
【図１】回路交換ネットワークおよびパケット交換ネットワークと関連する電話端末の説明図である。
【図２】本発明の方法が実装されている例示的な電話通信システムの説明図である。
【図１】
2009527172.tif 000003
【図２】
2009527172.tif 000004
【国際調査報告】
2009527172.tif 000005
2009527172.tif 000006
2009527172.tif 000007
2009527172.tif 000008
2009527172.tif 000009
2009527172.tif 000010